【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
制御チャネルがダウンリンク共有チャネルへマッピングされる際に、前記共有チャネルがネットワーク内のサービスセルから正しく受信されないだろうことを、端末において検出することと、
前記端末を別のプロトコル状態へ自律的に移行させることと、
を含む方法。
【請求項２】
前記方法は、前記端末のユーザから必要とされるアクションなしに、前記端末と前記ネットワークとの間におけるシグナリング搬送接続を自動再確立することを含む、請求項1に記載の方法。
【請求項３】
前記方法は、前記端末が、アクセスチャネル上においてネットワークノードに通知するためのアップリンクシグナリングを開始し、適合するセルにおいてダウンリンク共有チャネル再確立を要求することを含む、請求項1に記載の方法。
【請求項４】
前記方法は、前記ネットワークが、無線リンクを再確立するための手順を開始し、可能な場合、前記ダウンリンク共有チャネル接続を再確立することを含む、請求項1に記載の方法。
【請求項５】
前記方法は、アクティブセットにおいて最も強いセルである前記適合するセルを選ぶステップを含む、請求項3に記載の方法。
【請求項６】
前記方法は、前記サービスセルからの接続が失われる前に行われた計測に基づいて前記適合するセルを選ぶステップを含む、請求項3に記載の方法。
【請求項７】
前記方法は、セル専用チャネルモードで無線リソース制御シグナリング接続を修復するために、通常の専用物理チャネルをセットアップするステップを含む、請求項1に記載の方法。
【請求項８】
前記その他のチャネル状態はセルフォワードアクセスチャネル状態である、請求項1に記載の方法。
【請求項９】
前記アクセスチャネルはランダムアクセスチャネルである、請求項3に記載の方法。
【請求項１０】
前記ダウンリンク共有チャネルは高速ダウンリンク共有チャネルである、請求項1に記載の方法。
【請求項１１】
前記制御チャネルは専用制御チャネルである、請求項1に記載の方法。
【請求項１２】
ユーザ装置であって、
前記ユーザ装置は、制御チャネルがダウンリンク共有チャネルへマッピングされる際に、前記共有チャネルがネットワーク内のサービスセルから正しく受信されないだろうことを検出し、前記ユーザ装置を別のプロトコル状態へ自律的に移行させる、１つ以上のモジュールを有する、
ユーザ装置。
【請求項１３】
前記１つ以上のモジュールが、前記ユーザ装置のユーザから必要とされるアクションなしに、前記ネットワークとの前記シグナリング搬送接続を自動的に再確立するよう構成される、請求項12に記載のユーザ装置。
【請求項１４】
前記１つ以上のモジュールが、アクセスチャネル上においてネットワークノードに通知するためのアップリンクシグナリングを開始し、適合するセルにおいてダウンリンク共有チャネル再確立を要求するよう構成される、請求項12に記載のユーザ装置。
【請求項１５】
前記１つ以上のモジュールが、ネットワークノードに依存して、無線リンクを再確立するための手順を開始、可能な場合、前記ダウンリンク共有チャネル接続を再確立するよう構成される、請求項12に記載のユーザ装置。
【請求項１６】
選ばれた前記適合するセルは、アクティブセットにおいて最も強いセルである、請求項14に記載のユーザ装置。
【請求項１７】
選ばれた前記適合するセルは、前記サービスセルからの接続が失われる前に行われた計測に基づく、請求項14に記載のユーザ装置。
【請求項１８】
前記１つ以上のモジュールが、セル専用チャネルモードで無線リソース制御シグナリング接続を修復するために、通常の専用物理チャネルをセットアップするよう構成される、請求項12に記載のユーザ装置。
【請求項１９】
前記その他のチャネル状態はセルフォワードアクセスチャネル状態である、請求項12に記載のユーザ装置。
【請求項２０】
前記アクセスチャネルはランダムアクセスチャネルである、請求項14に記載のユーザ装置。
【請求項２１】
前記ダウンリンク共有チャネルは高速ダウンリンク共有チャネルである、請求項12に記載のユーザ装置。
【請求項２２】
前記制御チャネルは専用制御チャネルである、請求項12に記載のユーザ装置。
【請求項２３】
ネットワークノードであって、
前記端末が、制御チャネルがダウンリンク共有チャネルへマッピングされる際に、前記共有チャネルが前記ネットワーク内のサービスセルから正しく受信されないだろうことを検出し、別のプロトコル状態へ自律的に移行することを、ネットワーク内の端末が行うことを可能にすることにおいて、前記端末と連携するように構成される１つ以上のモジュールを有する、
ネットワークノード。
【請求項２４】
前記１つ以上のモジュールが、前記端末が、前記端末の前記ユーザから必要とされるアクションなしに、前記ネットワークに前記シグナリング搬送接続を自動的に再確立することを可能にするよう構成される、請求項23に記載のネットワークノード。
【請求項２５】
前記１つ以上のモジュールが、前記端末が、アクセスチャネル上において前記ネットワークノードに通知するためのアップリンクシグナリングを開始し、適合するセルにおいてダウンリンク共有チャネル再確立を要求することを可能にするよう構成される、請求項23に記載のネットワークノード。
【請求項２６】
前記１つ以上のモジュールが、前記無線リンクを再確立するための手順を開始し、可能な場合、前記ダウンリンク共有チャネル接続を再確立するよう構成される、請求項23に記載のネットワークノード。
【請求項２７】
選ばれた前記適合するセルは、アクティブセットにおいて最も強いセルである、請求項25に記載のネットワークノード。
【請求項２８】
選ばれた前記適合するセルは、前記サービスセルからの接続が失われる前に行われた計測に基づく、請求項25に記載のネットワークノード。
【請求項２９】
前記１つ以上のモジュールが、セル専用チャネル状態で無線リソース制御シグナリング接続を修復するために、通常の専用物理チャネルをセットアップするよう構成される、請求項23に記載のネットワークノード。
【請求項３０】
前記その他のチャネル状態はセルフォワードアクセスチャネル状態である、請求項23に記載のネットワークノード。
【請求項３１】
前記アクセスチャネルはランダムアクセスチャネルである、請求項25に記載のネットワークノード。
【請求項３２】
前記ダウンリンク共有チャネルは高速ダウンリンク共有チャネルである、請求項23に記載のネットワークノード。
【請求項３３】
前記制御チャネルは専用制御チャネルである、請求項23に記載のネットワークノード。
【請求項３４】
システムであって、
ネットワークノードと、
端末であって；制御チャネルがダウンリンク共有チャネルへマッピングされる際に、前記共有チャネルが前記ネットワーク内のサービスセルから正しく受信されないだろうことを検出し、別のプロトコル状態へ自律的に移行することにおいて、前記ネットワークノードと連携する１つ以上のモジュールを有する端末と、
を有する、システム。
【請求項３５】
前記システムは、前記端末の前記ユーザから必要とされるアクションなしに、前記端末と前記ネットワークとの間における前記シグナリング搬送接続の自動再確立することを含む、請求項34に記載のシステム。
【請求項３６】
前記モジュールが、アクセスチャネル上において前記ネットワークノードに通知するためのアップリンクシグナリングを開始し、適合するセルにおいてダウンリンク共有チャネル再確立を要求するように構成される、請求項34に記載のシステム。
【請求項３７】
前記システムは、前記無線リンクを再確立するための手順を開始し、可能な場合、前記ダウンリンク共有チャネル接続を再確立する前記ネットワークを含む、請求項34に記載のシステム。
【請求項３８】
前記システムは、アクティブセットにおいて最も強いセルである選ばれた前記適合するセルを含む、請求項36に記載のシステム。
【請求項３９】
前記システムは、前記サービスセルからの前記接続が失われる前に行われた計測に基づいて選ばれる前記適合するセルを含む、請求項36に記載のシステム。
【請求項４０】
前記システムは、セル専用チャネルモードで前記無線リソース制御シグナリング接続を修復するために、セットアップされている通常の専用物理チャネル を含む、請求項34に記載のシステム。
【請求項４１】
前記その他のチャネル状態はセルフォワードアクセスチャネル状態である、請求項34に記載のシステム。
【請求項４２】
前記アクセスチャネルはランダムアクセスチャネルである、請求項36に記載のシステム。
【請求項４３】
前記ダウンリンク共有チャネルは高速ダウンリンク共有チャネルである、請求項34に記載のシステム。
【請求項４４】
前記制御チャネルは専用制御チャネルである、請求項34に記載のシステム。
【請求項４５】
前記方法は、前記端末内のプロセッサまたはコントローラにおいて動作するコンピュータプログラムを介して前記方法を実行することをさらに含む、請求項1に記載の方法。
【請求項４６】
機械可読担体に格納されたプログラムコードを持つコンピュータプログラムであって、前記コンピュータプログラムが、ユーザ装置、ネットワークノード、またはそれらの何らかの組み合わせのいずれかのプロセッサまたは制御モジュールにおいて動作する際に、
制御チャネルがダウンリンク共有チャネルへマッピングされる際に、前記共有チャネルがネットワーク内のサービスセルから正しく受信されないだろうことを、端末において検出することと、
前記端末を別のプロトコル状態へ自律的に移行させることと、
を含む方法の各ステップを実行するための、コンピュータプログラム。
【請求項４７】
前記方法は、前記端末の前記ユーザから必要とされるアクションなしに、前記端末と前記ネットワークとの間における前記シグナリング搬送接続の自動再確立を含む、請求項46に記載のコンピュータプログラム。
【請求項４８】
前記方法は、前記端末が、アクセスチャネル上においてネットワークノードに通知するためのアップリンクシグナリングを開始し、適合するセルにおいてダウンリンク共有チャネル再確立を要求することを含む、請求項46に記載のコンピュータプログラム。
【請求項４９】
前記方法は、前記ネットワークが、前記無線リンクを再確立するための手順を開始し、可能な場合、前記ダウンリンク共有チャネル接続を再確立することを含む、請求項46に記載のコンピュータプログラム。
【請求項５０】
制御チャネルがダウンリンク共有チャネルへマッピングされる際に、前記共有チャネルがサービスセルから正しく受信されないだろうことを、端末において検出することと、
前記端末を別のプロトコル状態へ自律的に移行させることと、
アクセスチャネル上においてネットワークノードに通知するためのアップリンクシグナリングを開始し、適合するセルにおいてダウンリンク共有チャネル再確立を要求することと、
を含む、方法。
【請求項５１】
前記方法は、前記端末の前記ユーザから必要とされるアクションなしに、前記端末と前記ネットワークとの間における前記シグナリング搬送接続を自動的に再確立するステップを含む、請求項50に記載の方法。
【請求項５２】
前記端末は前記アップリンクシグナリングを開始する、請求項50に記載の方法。
【請求項５３】
前記ネットワークは前記無線リンクを再確立するための手順を開始し、可能な場合、前記ダウンリンク共有チャネル接続を再確立する、請求項50に記載の方法。
【請求項５４】
前記プロトコル状態は無線リソース制御プロトコル状態である、請求項1に記載の方法。
【請求項５５】
前記プロトコル状態は無線リソース制御プロトコル状態である、請求項12に記載のユーザ装置。
【請求項５６】
前記プロトコル状態は無線リソース制御プロトコル状態である、請求項23に記載のネットワークノード。
【請求項５７】
前記プロトコル状態は無線リソース制御プロトコル状態である、請求項34に記載のシステム。
【請求項５８】
前記プロトコル状態は無線リソース制御プロトコル状態である、請求項46に記載のコンピュータプログラム。
【請求項５９】
前記プロトコル状態は無線リソース制御プロトコル状態である、請求項50に記載の方法。
【請求項６０】
前記端末は、前記ダウンリンク共有チャネルが失われたことを検出した後、そのことを前記ネットワークへ通知する、請求項1に記載の方法。
【請求項６１】
前記端末は、前記ダウンリンク共有チャネルが失われたことを検出した後、そのことを前記ネットワークへ通知する、請求項12に記載のユーザ装置。
【請求項６２】
前記端末は、前記ダウンリンク共有チャネルが失われたことを検出した後、前記ネットワークは前記端末からその通知を受信する、請求項23に記載のネットワークノード。
【請求項６３】
前記端末は、前記ダウンリンク共有チャネルが失われたことを検出した後、そのことを前記ネットワークへ通知する、請求項34に記載のシステム。
【請求項６４】
前記端末は、前記ダウンリンク共有チャネルが失われたことを検出した後、そのことを前記ネットワークへ通知する、請求項50に記載の方法。
【請求項６５】
ダウンリンクシグナリングのみが失われ、前記アップリンクシグナリングは失われない、請求項60に記載の方法。
【請求項６６】
前記端末は、
前記別のプロトコル状態へ自動的に移行して前記物理層接続を解除するのではなく、前記ダウンリンク共有チャネルの前記ネットワークとの物理層接続を維持し、シグナリングために前記アクティブセット内における別のセルのその他のチャネル状態をリスニングし始める、
請求項1に記載の方法。
前記端末は、前記ダウンリンク共有チャネルの前記ネットワークとの物理層接続を維持すると共に、シグナリングのために前記アクティブセット内における別のセルのその他のチャネル状態をリスニングすることを始めるが、その代わりに前記別のプロトコル状態へ自動的に移行して前記物理層接続を解除することをしない、請求項1に記載の方法。
【請求項６７】
前記１つ以上のモジュールが、前記ダウンリンク共有チャネルの前記ネットワークとの物理層接続を維持すると共に、シグナリングのために前記アクティブセット内における別のセルのその他のチャネル状態をリスニングすることを始めるが、その代わりに前記別のプロトコル状態へ自動的に移行して前記物理層接続を解除することをしないよう構成される、請求項12に記載のユーザ装置。
【請求項６８】
前記１つ以上のモジュールが、前記端末と連携して、前記ダウンリンク共有チャネルの前記ネットワークとの物理層接続を維持すると共に、シグナリングのために前記アクティブセット内における別のセルのその他のチャネル状態をリスニングすることを始めるが、その代わりに前記別のプロトコル状態へ自動的に移行して前記物理層接続を解除することをしないよう構成される、請求項23に記載のネットワークノード。
【請求項６９】
前記１つ以上のモジュールが、前記ダウンリンク共有チャネルの前記ネットワークとの物理層接続を維持すると共に、シグナリングのために前記アクティブセット内における別のセルのその他のチャネル状態をリスニングすることを始めるが、その代わりに前記別のプロトコル状態へ自動的に移行して前記物理層接続を解除することをしないよう構成される、請求項34に記載のシステム。
【請求項７０】
前記端末は、前記共有チャネル接続が失われたことを検出し、セルフォワードアクセスチャネル状態へ移行し、アクセスチャネル上でシグナル無線ベアラセットアップ手順を開始する、請求項1に記載の方法。
【請求項７１】
前記ネットワークは前記共有チャネル接続が失われたことを検出し、前記端末がセルフォワードアクセスチャネル状態にあると内部で見なし、その後、ハング中の全ての専用物理チャネルを終了する、請求項1に記載の方法。
【請求項７２】
前記検出するステップは、前記サービスセルから受信した前記制御チャネル内の情報に基づいて品質基準を判断するステップを含む、請求項1に記載の方法。
【請求項７３】
前記制御チャネル内の前記情報は、１つ以上の伝送電力制御フィールド内の情報を含む、請求項72に記載の方法。
【請求項７４】
前記端末は、所定期間にわたる前記制御チャネルの品質が所定閾値品質より劣る際に、前記共有チャネル接続が失われたことを検出する、請求項70に記載の方法。
【請求項７５】
前記所定閾値品質は、約160ミリ秒にわたって評価される、請求項74に記載の方法。
【請求項７６】
前記端末が、アップリンクおよびダウンリンク方向において専用物理チャネルが前記端末に割り当てられる所与の状態にある場合、該端末は、１つまたはいくつかの連続的な評価期間にわたるリンク品質を、確立された物理チャネルに関連して「同期していない」と見なし、その後、タイマーを開始し、さらに、１つまたは複数の後続期間にわたるリンク品質を「同期している」と判断するときは、前記タイマーを停止もしくはリセットし、前記タイマーが切れた場合は、無線リンク障害があると判定する、請求項70に記載の方法。
【請求項７７】
前記確立された物理チャネルは物理チャネルを含む、請求項76に記載の方法。
【請求項７８】
前記セルフォワードアクセスチャネル状態への移行は、すべての専用チャネルが解除された際に生じる、請求項70に記載の方法。
【請求項７９】
前記無線リンク障害が生じた際、前記端末は前記専用物理チャネル構成をクリアし、セル更新手順を実行する、請求項76に記載の方法。
【請求項８０】
前記１つ以上のモジュールが、前記共有チャネル接続が失われたことを検出し、セルフォワードアクセスチャネル状態へ移行し、アクセスチャネル上でシグナル無線ベアラセットアップ手順を開始するよう構成される、請求項12に記載のユーザ装置。
【請求項８１】
前記ネットワークは前記共有チャネル接続が失われたことを検出し、前記ユーザ装置がセルフォワードアクセスチャネル状態にあると内部で見なし、その後、ハング中のいかなる専用物理チャネルも終了する、請求項12に記載のユーザ装置。
【請求項８２】
前記１つ以上のモジュールが、前記サービスセルから受信した前記制御チャネル内の情報に基づいて前記品質基準を判断することによって前記共有チャネルの信頼性を検出するよう構成される、請求項12に記載のユーザ装置。
【請求項８３】
前記制御チャネル内の前記情報は、１つ以上の伝送電力制御フィールド内の情報を含む、請求項82に記載のユーザ装置。
【請求項８４】
前記端末は、所定期間にわたる前記制御チャネルの前記品質が所定閾値品質より劣る際に、前記共有チャネル接続が失われたことを検出する、請求項80に記載のユーザ装置。
【請求項８５】
前記所定閾値品質は、約160ミリ秒にわたって評価される、請求項84に記載のユーザ装置。
【請求項８６】
前記ユーザ装置は、アップリンクおよびダウンリンク方向において専用物理チャネルが前記端末に割り当てられる所与の状態にある場合、１つまたはいくつかの連続的な評価期間にわたるリンク品質を、確立された物理チャネルに関連して「同期していない」と見なした後、前記モジュールはタイマーを開始し、さらに前記ユーザ装置は、１つまたは複数の後続期間にわたるリンク品質を「同期している」と判断するときは、前記タイマーを停止もしくはリセットし、前記タイマーが切れた場合は、無線リンク障害があると判定する、請求項80に記載のユーザ装置。
【請求項８７】
前記確立された物理チャネルは物理チャネルを含む、請求項86に記載のユーザ装置。
【請求項８８】
前記セルフォワードアクセスチャネル状態への遷移は、すべての専用チャネルが解除された際に生じる、請求項80に記載のユーザ装置。
【請求項８９】
前記無線リンク障害が生じた際、前記モジュールは前記専用物理チャネル構成をクリアし、セル更新手順を実行する、請求項86に記載のユーザ装置。
【請求項９０】
前記１つ以上のモジュールが、前記共有チャネル接続が失われたことを検出し、前記端末がセルフォワードアクセスチャネル状態にあると内部で見なし、その後、ハング中のいかなる専用物理チャネルも終了するよう構成される、請求項23に記載のネットワークノード。
【請求項９１】
前記１つ以上のモジュールが、前記共有チャネル接続が失われたことを検出し、セルフォワードアクセスチャネル状態へ移行し、アクセスチャネル上でシグナル無線ベアラセットアップ手順を開始するよう構成される、請求項34に記載のシステム。
【請求項９２】
前記１つ以上のモジュールが、前記共有チャネル接続が失われたことを検出し、前記端末がセルフォワードアクセスチャネル状態にあると内部で見なし、その後、ハング中のいかなる専用物理チャネルも終了するよう構成される、請求項34に記載のシステム。
【請求項９３】
前記１つ以上のモジュールが、前記サービスセルから受信した前記制御チャネル内の情報に基づいて前記品質基準を判断することによって前記共有チャネルの信頼性を検出するよう構成される、請求項34に記載のシステム。
【請求項９４】
前記制御チャネル内の前記情報は、１つ以上の伝送電力制御フィールド内の情報を含む、請求項93に記載のシステム。
【請求項９５】
前記１つ以上のモジュールが、所定期間にわたる前記制御チャネルの前記品質が所定閾値品質より劣る際に、前記共有チャネル接続が失われたことを検出するよう構成される、請求項91に記載のシステム。
【請求項９６】
前記所定閾値品質は、約160ミリ秒にわたって評価される、請求項95に記載のシステム。
【請求項９７】
前記端末が、アップリンクおよびダウンリンク方向において専用物理チャネルが前記端末に割り当てられる所与の状態にある場合、該端末は、１つまたはいくつかの連続的な評価期間にわたるリンク品質を、確立された物理チャネルに関連して「同期していない」と見なし、その後、タイマーを開始し、さらに、１つまたは複数の後続期間にわたるリンク品質を「同期している」と判断するときは、前記タイマーを停止もしくはリセットし、前記タイマーが切れた場合は、無線リンク障害があると判定する、請求項91に記載のシステム。
【請求項９８】
前記確立された物理チャネルは物理チャネルを含む、請求項97に記載のシステム。
【請求項９９】
前記セルフォワードアクセスチャネル状態への遷移は、すべての専用チャネルが解除された際に生じる、請求項91に記載のシステム。
【請求項１００】
前記無線リンク障害が生じた際、前記端末は前記専用物理チャネル構成をクリアし、セル更新手順を実行する、請求項97に記載のシステム。
【請求項１０１】
端末において、制御チャネルがダウンリンク共有チャネルへマッピングされる際に、前記共有チャネルがネットワーク内のサービスセルから正しく受信されないだろうことを検出し、前記端末を別のプロトコル状態へ自律的に移行させるよう構成される１つ以上の集積回路を備える、チップハードウェアを含むデバイス。
【請求項１０２】
前記デバイスは、その機能性を実行するための特定用途向け集積回路である、請求項101に記載のデバイス。
【請求項１０３】
制御チャネルがダウンリンク共有部分専用物理チャネル（F-DPCH）へマッピングされる際に、前記共有チャネルがネットワーク内のサービスセルから正しく受信されないだろうことを、端末において検出することであって、品質基準が前記ダウンリンク共有部分専用物理チャネル（F-DPCH）内の１つ以上の伝送電力制御フィールドに含有される情報に基づいて判断される、ことと、
１つまたはいくつかの連続的な評価期間が「同期していない」と見なし、前記無線リンクを失敗したと見なした後、前記端末を前記セル専用チャネル状態からセルフォワードアクセスチャネル状態へ自律的に移行させることと、
を含む、方法。
【請求項１０４】
マッピングされた制御チャネルを有するダウンリンク共有チャネルがネットワーク内の２つのノード間で正しく受信されないだろうことを検出することと、
この検出に基づいて１つのノードを別のプロトコル状態へ自律的に移行させることと、
を含む、方法。
【請求項１０５】
前記ダウンリンク共有チャネルは高速ダウンリンク共有チャネルである、請求項104に記載の方法。
【請求項１０６】
前記検出は、前記ダウンリンク共有部分専用物理チャネル（F-DPCH）内の１つ以上の伝送電力制御フィールドに含有される情報を使用して判断された品質基準に基づく、請求項105に記載の方法。
【請求項１０７】
一方のノードは端末であり、他方のノードはサービスセルである、請求項104に記載の方法。
【請求項１０８】
前記制御チャネルは１つ以上の伝送電力制御フィールドを含む、請求項104に記載の方法。
【請求項１０９】
前記一方の状態はセル専用チャネル状態であり、他方の状態はセルフォワードアクセスチャネル状態である、請求項104に記載の方法。
【手続補正２】
【補正対象書類名】図面
【補正対象項目名】図１ａ
【補正方法】変更
【補正の内容】
【図１ａ】
2008503913.tif 000001
【手続補正３】
【補正対象書類名】図面
【補正対象項目名】図１ｂ
【補正方法】変更
【補正の内容】
【図１ｂ】
2008503913.tif 000002